(57)【要約】【課題】マンホール改修に伴う経費を個人や法人からの寄付により賄うための寄付活動に適した、マンホール寄贈システム、マンホール寄贈方法及びマンホール寄贈プログラムを提供する。【解決手段】寄贈者から事業者にマンホール蓋を寄贈するためのマンホール寄贈システム１００であって、デザインの異なる複数のマンホール蓋を表示するマンホール蓋表示手段１１と、表示された複数のマンホール蓋の中から寄贈者が選択したマンホール蓋を、寄贈マンホール蓋として受け付ける寄贈マンホール蓋受付手段１２と、を有する。【選択図】図１
2019028520.tif 000002
【特許請求の範囲】
【請求項１】
寄贈者から事業者にマンホール蓋を寄贈するためのマンホール寄贈システムであって、
デザインの異なる複数のマンホール蓋を表示するマンホール蓋表示手段と、
前記表示された複数のマンホール蓋の中から寄贈者が選択したマンホール蓋を、寄贈マンホール蓋として受け付ける寄贈マンホール蓋受付手段と、
を有することを特徴とするマンホール寄贈システム。
【請求項２】
前記複数のマンホール蓋の見本の設置場所を表示する設置場所表示手段を有することを特徴とする請求項１に記載のマンホール寄贈システム。
【請求項３】
前記寄贈マンホール蓋に寄贈者名を表示する寄贈者名表示手段を有することを特徴とする請求項１又は請求項２に記載のマンホール寄贈システム。
【請求項４】
寄贈者から事業者にマンホール蓋を寄贈するためのマンホール寄贈方法であって、
デザインの異なる複数のマンホール蓋を表示するマンホール蓋表示ステップと、
前記表示された複数のマンホール蓋の中から寄贈者が選択したマンホール蓋を、寄贈マンホール蓋として受け付ける寄贈マンホール蓋受付ステップと、
を有することを特徴とするマンホール寄贈方法。
【請求項５】
寄贈者から事業者にマンホール蓋を寄贈するためのマンホール寄贈システムに、
デザインの異なる複数のマンホール蓋を表示するマンホール蓋表示ステップと、
前記表示された複数のマンホール蓋の中から寄贈者が選択したマンホール蓋を、寄贈マンホール蓋として受け付ける寄贈マンホール蓋受付ステップと、
を実行させるためのマンホール寄贈プログラム。
【発明の詳細な説明】
【技術分野】
【０００１】
本発明は、寄贈者から事業者にマンホール蓋を寄贈するためのマンホール寄贈システム、マンホール寄贈方法及びマンホール寄贈プログラムに関するものである。
【背景技術】
【０００２】
従来、下水道などの点検、修理、掃除のために地上から作業員が出入りできるように、マンホール（縦穴）が設けられている。マンホールの地表開口部には、人が誤って落ちてしまうのを防止するとともに、関係者以外の侵入を防止するために、マンホール蓋が載置されている。このマンホール蓋は、勝手に開けられないように、また上に車両等が乗っても耐えられるように、鋳鉄製のものが多い。
【０００３】
このようなマンホールは老朽化に伴い改修する必要があるが、例えば、自治体等により管理されている下水道事業においては、下水道事業により必要経費を回収することが困難なため、不足分を一般会計からの繰り入れに依存しているのが実情である。
【０００４】
一方、寄付活動のための様々なシステムが提案されている。例えば、特許文献１には、ネットワークに接続した閲覧者の端末に募金の説明を表示し、募金賛同の意思表示をした閲覧者の端末ディスプレイに寄付スポンサーを識別する表示をし、閲覧者には金銭的負担をかけずに、閲覧者の募金賛同意思表示の回数に応じて所定の金額を寄付スポンサーから寄付先に寄付する募金方法に関する発明が記載されている。また、特許文献２には、環境活動に対するポイント付与を利用することにより、人の公益環境活動に対する意欲を向上させ、公益環境活動を支援することができるようにした環境活動支援システムに関する発明が記載されている。
【先行技術文献】
【特許文献】
【０００５】
【特許文献１】特開２００２−２３０２３９号公報
【特許文献１】特開２０１６−１３４０９９号公報
【発明の概要】
【発明が解決しようとする課題】
【０００６】
従来のマンホールは、老朽化に伴う改修のための必要経費を関係する事業（例えば、下水道事業）により回収することが困難であり、今後の老朽化管路の拡大を見据えた場合に、経費回収率の課題が深刻化するという問題があった。そのため、マンホール改修に伴う経費を個人や法人からの寄付により賄う仕組みが必要であった。
【０００７】
一方、特許文献１及び特許文献２に記載された発明のような、寄付活動のための様々なシステムが提案されているが、マンホール改修のための寄付活動に適したシステムはなかった。
【０００８】
本発明は、上記従来の課題を解決するものであり、マンホール改修に伴う経費を個人や法人からの寄付により賄うための寄付活動に適した、マンホール寄贈システム、マンホール寄贈方法及びマンホール寄贈プログラムを提供するものである。
【課題を解決するための手段】
【０００９】
上記課題を解決するため、本発明のマンホール寄贈システムは、寄贈者から事業者にマンホール蓋を寄贈するためのマンホール寄贈システムであって、デザインの異なる複数のマンホール蓋を表示するマンホール蓋表示手段と、前記表示された複数のマンホール蓋の中から寄贈者が選択したマンホール蓋を、寄贈マンホール蓋として受け付ける寄贈マンホール蓋受付手段と、を有することを特徴とする。
【００１０】
また好ましくは、前記複数のマンホール蓋の見本の設置場所を表示する設置場所表示手段を有することを特徴とする。
【００１１】
また好ましくは、前記寄贈マンホール蓋に寄贈者名を表示する寄贈者名表示手段を有することを特徴とする。
【００１２】
また、本発明のマンホール寄贈方法は、寄贈者から事業者にマンホール蓋を寄贈するためのマンホール寄贈方法であって、デザインの異なる複数のマンホール蓋を表示するマンホール蓋表示ステップと、前記表示された複数のマンホール蓋の中から寄贈者が選択したマンホール蓋を、寄贈マンホール蓋として受け付ける寄贈マンホール蓋受付ステップと、を有することを特徴とする。
【００１３】
また、本発明のマンホール寄贈プログラムは、寄贈者から事業者にマンホール蓋を寄贈するためのマンホール寄贈システムに、デザインの異なる複数のマンホール蓋を表示するマンホール蓋表示ステップと、前記表示された複数のマンホール蓋の中から寄贈者が選択したマンホール蓋を、寄贈マンホール蓋として受け付ける寄贈マンホール蓋受付ステップと、を実行させるためのプログラムである。
【発明の効果】
【００１４】
本発明のマンホール寄贈システムは、寄贈者から事業者にマンホール蓋を寄贈するためのものであり、デザインの異なる複数のマンホール蓋を表示するマンホール蓋表示手段と、表示された複数のマンホール蓋の中から寄贈者が選択したマンホール蓋を、寄贈マンホール蓋として受け付ける寄贈マンホール蓋受付手段とを有している。従って、寄贈者は、複数のマンホール蓋の中から、気に入ったデザインのマンホール蓋を選択して寄贈することができるので、個人や法人からの寄付を促進することができる。
【００１５】
また、複数のマンホール蓋の見本の設置場所を表示する設置場所表示手段を有する場合には、寄贈者は現地に赴くことで実際に設置されたマンホール蓋の見本を確認することができるので、寄贈を促進することができる。
【００１６】
また、寄贈マンホール蓋に寄贈者名を表示する寄贈者名表示手段を有する場合には、寄贈者はマンホール蓋に自身の寄贈者名が表示した状態を確認することができるので、寄贈を促進することができる。
【００１７】
また、本発明のマンホール寄贈方法は、寄贈者から事業者にマンホール蓋を寄贈するためのものであり、デザインの異なる複数のマンホール蓋を表示するマンホール蓋表示ステップと、前記表示された複数のマンホール蓋の中から寄贈者が選択したマンホール蓋を、寄贈マンホール蓋として受け付ける寄贈マンホール蓋受付ステップとを有している。従って、寄贈者は、複数のマンホール蓋の中から、気に入ったデザインのマンホール蓋を選択して寄贈することができるので、個人や法人からの寄付を促進することができる。
【００１８】
また、本発明のマンホール寄贈プログラムは、上記本発明のマンホール寄贈システムに上記本発明のマンホール寄贈方法を実行させることができるプログラムである。
【００１９】
以上、本発明によれば、マンホール改修に伴う経費を個人や法人からの寄付により賄うための寄付活動に適した、マンホール寄贈システム、マンホール寄贈方法及びマンホール寄贈プログラムを提供することができる。
【図面の簡単な説明】
【００２０】
【図１】本発明の実施形態に係るマンホール寄贈システムの構成図である。
【図２】マンホール寄贈システムのフローチャートである。
【図３】マンホール寄贈システムのマンホール蓋表示画面を示す図である。
【図４】マンホール寄贈システムの設置場所表示画面を示す図である。
【図５】マンホール寄贈システムの寄贈者名表示画面を示す図である。
【発明を実施するための形態】
【００２１】
次に、図１乃至図５を参照して、本発明の実施形態に係るマンホール寄贈システムについて説明する。本実施形態に係るマンホール寄贈システムは、下水道事業のように自治体が管理して経費負担する事業に特に適したものである。
【００２２】
図１は、本実施形態に係るマンホール寄贈システム１００の構成図である。マンホール寄贈システム１００は、寄贈者から事業者にマンホール蓋を寄贈するためのシステムであり、インターネット等のネットワーク２を介して複数の寄贈者端末１と接続されている。寄贈者端末１は、寄贈者である個人や法人が、寄贈するマンホール蓋を選択するための情報の入力や、マンホール蓋の画像等を出力するためのものであり、入力手段（キーボード、マウス、タッチパネル等）や出力手段（ディスプレイ、プリンター等）を備えている。
【００２３】
マンホール寄贈システム１００は、制御部１０とデザインマンホールＤＢ２０を有している。また制御部１０は、マンホール蓋表示手段１１、寄贈マンホール蓋受付手段１２、設置場所表示手段１３及び寄贈者名表示手段１４を有している。制御部１０は、コンピュータに記憶されたプログラムにより実現される。
【００２４】
マンホール蓋表示手段１１は、寄贈対象であるデザインの異なる複数のマンホール蓋を表示する。表示された複数のマンホール蓋の画像は、ネットワーク２を介して寄贈者端末１の画面に表示される。
【００２５】
寄贈マンホール蓋受付手段１２は、マンホール蓋表示手段１１により表示された寄贈対象である複数のマンホール蓋の中から寄贈者が選択したマンホール蓋を、寄贈マンホール蓋として受け付ける。寄贈者は、寄贈者端末１を操作することにより、ネットワーク２を介してマンホール蓋の選択情報を送信する。
【００２６】
設置場所表示手段１３は、マンホール蓋表示手段１１により表示された寄贈対象である複数のマンホール蓋の見本の設置場所を表示する。寄贈者が、寄贈者端末１を操作することにより、ネットワーク２を介して設置場所表示の要求情報を送信すると、設置場所表示手段１３は要求されたマンホール蓋の見本の設置場所情報（地図）を、ネットワーク２を介して寄贈者端末１に送信する。
【００２７】
寄贈者名表示手段１４は、寄贈者が選択したマンホール蓋に寄贈者名を表示する。選択した寄贈マンホール蓋について、寄贈者がネットワーク２を介して寄贈者名を送信すると、受信した寄贈者名を寄贈マンホール蓋に表示した画像を、ネットワーク２を介して寄贈者端末１に送信する。
【００２８】
デザインマンホールＤＢ２０は、寄贈対象である複数のマンホール蓋に関する情報（デザイン画像、設置場所など）を記憶している。
【００２９】
次に、図２乃至図５を参照して、マンホール寄贈システム１００によるマンホール寄贈方法について説明する。図２は、マンホール寄贈システム１００のフローチャートである。また、図３乃至図５は、マンホール寄贈システム１００の表示画面を示す図であり、寄贈者は寄贈者端末１上に表示された画面を確認することができる。
【００３０】
まず、寄贈者がマンホール寄贈システム１００にアクセスすると、マンホール蓋表示手段１１が、図３に示すにように、マンホール蓋表示画面１１０を表示する（ステップＳ１０１）。マンホール蓋表示画面１１０の上方には、寄贈の趣旨に関する説明事項１１１が記載されており、その下方に寄贈対象である複数のマンホール蓋画像１１２が表示されている。本実施形態ではＮＯ．１〜ＮＯ．１０の１０枚のマンホール画像が表示されている。なお、本実施形態ではＮＯ．１〜ＮＯ．１０の記号が表示されているが、実際には、各マンホール蓋のそれぞれ異なる具体的なデザインが表示される。これにより、寄贈者は、複数のマンホール蓋のデザインを比較することができる。
【００３１】
各マンホール蓋画像１１２の下方には、２つの選択ボタンが表示される。選択ボタン１１３には「設置場所を見る」と表示されており、選択ボタン１１４には「申し込む」と表示されている。
【００３２】
寄贈者が、選択したマンホール蓋の選択ボタン１１３を押すと、設置場所表示手段１３が、図４に示すように、該当するマンホール蓋の見本の設置場所表示画面１３０を表示する（ステップＳ１０２）。設置場所表示画面１３０には、マンホール蓋画像１３１及び地図１３２が表示されており、地図１３２内の該当する設置場所にフラグ１３３が表示される。これにより、寄贈者は現地に赴くことで実際に設置されたマンホール蓋の見本を確認することができる。
【００３３】
寄贈者が、選択したマンホール蓋の選択ボタン１１４を押すと（ステップＳ１０３）、寄贈マンホール蓋受付手段１２が、図５に示すように、寄贈者名表示画面１４０を表示する。寄贈者名表示画面１４０には、名入れスペース１４１、マンホール蓋画像１４２、寄贈者情報入力スペース１４３及び申込決定ボタン１４４が表示されている。
【００３４】
名入れスペース１４１は、寄贈者が寄贈マンホール蓋に表示される寄贈者名を入力するためのものであり、寄贈者が名入れスペース１４１に寄贈者名を入力すると（ステップＳ１０４）、寄贈者名表示手段１４が、マンホール蓋画像１４２に寄贈者名を表示する（ステップＳ１０５）。これにより、寄贈者はマンホール蓋に自身の寄贈者名が表示された状態を確認することができる。
【００３５】
寄贈者が、寄贈者情報入力スペース１４３に「お名前」、「フリガナ」、「メールアドレス」、「住所」、「メッセージ」の各情報を入力し申込決定ボタン１４４を押すと、寄贈マンホール蓋受付手段１２が、寄贈マンホール蓋として受け付ける（ステップＳ１０６）。以上により、寄贈者は、必要な情報を得ながら寄贈するマンホール蓋を選択することができる。
【００３６】
なお、画面に表示するマンホール蓋や見本として設置するマンホール蓋をカラーとし、寄贈するマンホール蓋を単色としてもよい。
【００３７】
本実施形態に係るマンホール寄贈システム１００は、寄贈者から事業者にマンホール蓋を寄贈するためのものであり、デザインの異なる複数のマンホール蓋を表示するマンホール蓋表示手段１１と、表示された複数のマンホール蓋の中から寄贈者が選択したマンホール蓋を、寄贈マンホール蓋として受け付ける寄贈マンホール蓋受付手段１２とを有している。従って、寄贈者は、複数のマンホール蓋の中から、気に入ったデザインのマンホール蓋を選択して寄贈することができるので、個人や法人からの寄付を促進することができる。
【００３８】
また、複数のマンホール蓋の見本の設置場所を表示する設置場所表示手段１３を有しており、寄贈者は現地に赴くことで実際に設置されたマンホール蓋の見本を確認することができるので、寄贈を促進することができる。
【００３９】
また、寄贈マンホール蓋に寄贈者名を表示する寄贈者名表示手段１４を有しており、寄贈者はマンホール蓋に自身の寄贈者名が表示した状態を確認することができるので、寄贈を促進することができる。
【００４０】
このように、本実施形態に係るマンホール寄贈システム１００は、マンホール改修に伴う経費を個人や法人からの寄付により賄うための寄付活動に適したものである。
【００４１】
以上、本発明の実施形態に係るマンホール寄贈システムについて説明したが、本発明は上述した実施の形態に限定されるわけではなく、その他種々の変更が可能である。例えば、下水道事業のように自治体が管理して経費負担する事業以外にも適用可能である。
【００４２】
また、設置場所表示手段及び／又は寄贈者名表示手段を省略した構成とすることもできる。
【００４３】
また、同一システム内に自治体別（事業別）の寄贈システムを併存させるように構成して、アクセスした寄贈者が寄贈する自治体（事業）を選択できるようにしてもよい。
【００４４】
また、マンホール蓋のデザインとして、対象自治体（地域）の観光地や名物を採用することにより、寄贈への動機付けを高めることができる。
【００４５】
また、寄贈者のコメントを閲覧可能とし、寄贈者の寄贈の思い（地域への思い入れ等）を共有できるようにしてもよい。
【符号の説明】
【００４６】
１  寄贈者端末
２  ネットワーク
１０  制御手段
１１  マンホール蓋表示手段
１２  寄贈マンホール蓋受付手段
１３  設置場所表示手段
１４  寄贈者名表示手段
２０  デザインマンホールＤＢ
１００  マンホール寄贈システム
１１０  マンホール蓋表示画面
１３０  設置場所表示画面
１４０  寄贈者名表示画面
【図１】
2019028520.tif 000003
【図２】
2019028520.tif 000004
【図３】
2019028520.tif 000005
【図４】
2019028520.tif 000006
【図５】
2019028520.tif 000007